(57)【要約】【課題】  投影光学系の瞳位置またはそれと光学的に共役な位置における光強度分布を適切に補正することができる照明光学系を提供する。【解決手段】  光源２から射出される極端紫外光で照明領域Ｍを照明する照明光学系において、前記照明光学系の瞳位置またはその近傍の位置における光強度分布を補正する光強度分布補正手段１６を備える。【選択図】  図１
2006108224.tif 000002
【特許請求の範囲】
【請求項１】
光源から射出される極端紫外光で照明領域を照明する照明光学系において、
照明光学系の瞳位置またはその近傍の位置における光強度分布を補正する光強度分布補正手段を備えることを特徴とする照明光学系。
【請求項２】
前記光強度分布補正手段は、前記照明光学系の瞳位置またはその近傍の位置に配置されることを特徴とする請求項１記載の照明光学系。
【請求項３】
入射側フライアイミラー及び射出側フライアイミラーにより構成されるフライアイミラー光学系を備え、
前記光強度分布補正手段は、前記射出側フライアイミラーの反射面またはその近傍に配置されることを特徴とする請求項１記載の照明光学系。
【請求項４】
前記光強度分布補正手段は、前記射出側フライアイミラーの射出側の光路と重複しない前記射出側フライアイミラーの入射側の光路と、前記射出側フライアイミラーの入射側の光路と重複しない前記射出側フライアイミラーの射出側の光路との少なくとも一方に配置されることを特徴とする請求項１乃至請求項３の何れか一項に記載の照明光学系。
【請求項５】
前記光強度分布補正手段は、前記射出側フライアイミラーを構成する複数の単位ミラーのうちの少なくとも１つに対応して設けられた多層膜を備え、
前記多層膜の層数に基づく前記単位ミラーの反射率分布により前記照明光学系の瞳位置またはその近傍における光強度分布を補正することを特徴とする請求項２記載の照明光学系。
【請求項６】
前記光強度分布補正手段は、前記照明光学系の瞳位置またはその近傍における光強度分布を補正するための補正部材を備え、前記補正部材の厚さに基づく前記補正部材の透過率分布により前記照明光学系の瞳位置またはその近傍における光強度分布を補正することを特徴とする請求項１乃至請求項４の何れか一項に記載の照明光学系。
【請求項７】
前記光強度分布補正手段は、前記照明光学系の瞳位置またはその近傍において、所望の光強度分布を付与する第１補正部材と、前記第１補正部材と交換可能に設けられ前記第１補正部材とは異なる光強度分布を付与する第２補正部材を有することを特徴とする請求項１乃至請求項６の何れか一項に記載の照明光学系。
【請求項８】
光源から射出される光束で照明領域を照明する照明光学系において、
照明光学系の瞳位置またはその近傍における偏光による光強度分布の悪化を補正する偏光強度分布補正手段を備えることを特徴とする照明光学系。
【請求項９】
前記偏光強度分布補正手段は、前記照明光学系の瞳位置またはその近傍における前記光束の第１偏光成分の光強度分布、及び前記第１偏光成分の偏光方向と交差する方向に偏光成分を有する第２偏光成分の光強度分布を補正することを特徴とする請求項８記載の照明光学系。
【請求項１０】
前記光束は、極端紫外光により形成される光束であることを特徴とする請求項８または請求項９記載の照明光学系。
【請求項１１】
前記偏光強度分布補正手段は、前記照明光学系の瞳位置またはその近傍に配置されることを特徴とする請求項８乃至は請求項１０の何れか一項に記載の照明光学系。
【請求項１２】
入射側フライアイミラー及び射出側フライアイミラーにより構成されるフライアイミラー光学系を備え、
前記偏光強度分布補正手段は、前記射出側フライアイミラーの反射面またはその近傍に配置されることを特徴とする請求項８乃至請求項１１の何れか一項に記載の照明光学系。
【請求項１３】
前記偏光強度分布補正手段は、前記射出側フライアイミラーの射出側の光路と重複しない前記射出側フライアイミラーの入射側の光路と、前記射出側フライアイミラーの入射側の光路と重複しない前記射出側フライアイミラーの射出側の光路との少なくとも一方に配置されることを特徴とする請求項１２記載の照明光学系。
【請求項１４】
前記偏光強度分布補正手段は、
前記照明光学系の瞳位置またはその近傍における前記第１偏光成分による光強度分布を補正する第１偏光強度分布補正手段と、
前記照明光学系の瞳位置またはその近傍における前記第２偏光成分による光強度分布を補正する第２偏光強度分布補正手段と、
を備えることを特徴とする請求項８乃至請求項１３の何れか一項に記載の照明光学系。
【請求項１５】
前記偏光強度分布補正手段は、
前記第１偏光強度分布補正手段により補正された前記第１偏光成分と、前記第２偏光強度分布補正手段により補正された前記第２偏光成分との光強度差を補正する光強度差補正手段を更に備えることを特徴とする請求項１４記載の照明光学系。
【請求項１６】
感光性基板上にマスクのパターンを転写する露光装置において、
前記マスクを照明するための請求項１乃至請求項１５の何れか一項に記載の照明光学系を備えることを特徴とする露光装置。
【請求項１７】
請求項１６記載の露光装置を用いてマスクのパターンを感光性基板上に露光する露光工程と、
前記露光工程により露光された前記感光性基板を現像する現像工程と、
を含むことを特徴とするマイクロデバイスの製造方法。
【発明の詳細な説明】
【技術分野】
【０００１】
この発明は、半導体素子、液晶表示素子、薄膜磁気ヘッド等のマイクロデバイスをリソグラフィ工程で製造するための照明光学系、該照明光学系を備えた露光装置及び該露光装置を用いたマイクロデバイスの製造方法に関するものである。
【背景技術】
【０００２】
現在、半導体集積回路の製造においては、マスク上に形成された非常に微細なパターンを感光性基板上に転写するために、可視光あるいは紫外光を利用したフォトリソグラフィの手法が用いられている。このフォトリソグラフィの手法を用いた製造工程では、マスク上に形成された原画となるパターンを、投影光学系を介してフォトレジスト等の感光剤が塗布された感光性基板上に投影露光する投影露光装置が用いられている。
【０００３】
近年、半導体集積回路の高集積化、高密度化を実現するために、回路の線幅を更に細く、または、パターンを更に精細にする必要があるため、投影露光装置において解像度の向上が要求されている。投影露光装置において解像度を上げるために、露光光源波長としては、これまでに水銀灯（３６５ｎｍ）、ＫｒＦエキシマレーザ（２４８ｎｍ）、ＡｒＦエキシマレーザ（１９３ｎｍ）等が実用化されており、より解像度を上げるために更なる短波長化が進んでいる。ここで、露光光源として波長が１５７ｎｍより短い光、特に極端紫外光（ＥＵＶ光）を用いてマスクのパターンを感光性基板上に投影露光する場合、短波長の光に対して高い透過率を有する硝材が限定されていることから、投影露光装置は少なくとも１つの反射型の光学系により構成される（例えば、特許文献１参照）。
【０００４】
【特許文献１】特開２０００−３４９００９号公報
【発明の開示】
【発明が解決しようとする課題】
【０００５】
以上の露光装置においては、マスクを均一に照明する照明光学系と、マスクのパターン像を感光性基板に投影する投影光学系を具備しているが、例えばＥＵＶ光を用いてより一層微細なパターンを転写しようとすると、照明光学系の瞳（瞳面）の位置、または投影光学系の瞳（瞳面）と光学的に共役な位置での光強度分布を制御することが不可欠であることが様々な検討を進めていった結果、明らかになった。
【０００６】
この発明の課題は、照明光学系の瞳（瞳面）の位置、または投影光学系の瞳（瞳面）と光学的に共役な位置での光強度分布を所望の光強度分布に設定できる照明光学系、該照明光学系を備えた露光装置及び該露光装置を用いたマイクロデバイスの製造方法を提供することにある。
【課題を解決するための手段】
【０００７】
第１発明による照明光学系は、光源から射出される極端紫外光で照明領域を照明する照明光学系において、照明光学系の瞳位置またはその近傍の位置における光強度分布を補正する光強度分布補正手段を備えることを特徴とする。
【０００８】
この第１発明の照明光学系によれば、照明光学系の瞳位置またはその近傍における悪化している光強度分布を補正することができるため、照明光学系の瞳における光強度分布を適切に設定することができ、照明領域全体にわたる照明条件（各照明ポイントでの角度特性や偏光特性、角度による光強度分布特性等）が適切に設定されるため、良好なる照明が達成できる。従って、この照明光学系を露光装置に用いた場合、照明光学系の瞳（瞳面）の位置またはその近傍の位置、換言すれば、マスクパターン像を感光性基板に形成する投影光学系の瞳（瞳面）と光学的に共役な位置またはその近傍の位置での光強度分布を所望の光強度分布に設定できるため、極端紫外光によりマスク面上の照明領域（ひいては感光性基板面上の露光領域）を適切に照明することができる。この結果、感光性基板上における解像力やコントラスト等の低下を防止することができ、マスクに形成されたより一層微細なパターンを感光性基板上に良好に露光することができる。
【０００９】
また、第２発明の照明光学系は、光源から射出される光束で照明領域を照明する照明光学系において、照明光学系の瞳位置またはその近傍の位置における偏光による光強度分布の悪化を補正する偏光強度分布補正手段を備えることを特徴とする。
【００１０】
この第２発明の照明光学系によれば、照明光学系の瞳と光学的に共役な位置またはその近傍における偏光による光強度分布の悪化を補正することができるため、照明光学系の瞳（瞳面）における偏光による光強度分布を適切に設定することができ、照明領域全体にわたる照明条件（各照明ポイントでの偏光角度特性、角度による偏光光強度分布特性等）が適切に設定されるため、良好なる照明が達成できる。従って、この照明光学系を露光装置に用いた場合、照明光学系の瞳（瞳面）の位置またはその近傍の位置、換言すれば、マスクパターン像を感光性基板に形成する投影光学系の瞳（瞳面）と光学的に共役な位置またはその近傍の位置での光強度分布を所望の光強度分布に設定できるため、照明光によりマスク面上の照明領域（ひいては感光性基板面上の露光領域）を適切に照明することができる。この結果、感光性基板上における解像力、直交した２方向での解像力の差またはコントラスト等の低下を防止することができ、マスクに形成されたより一層微細なパターンを感光性基板上に良好に露光することができる。
【００１１】
また、第３発明のマイクロデバイスの製造方法によれば、例えば上記第１発明または第２発明の照明光学系を備えた露光装置を用いてマスクのパターンを感光性基板上に露光する露光工程と、前記露光工程により露光された前記感光性基板を現像する現像工程とを含むことを特徴とする。
【００１２】
この第３発明のマイクロデバイスの製造方法によれば、露光装置の照明光学系の瞳位置またはその近傍における光強度分布を補正して適切な光強度分布に設定した上でマスクパターンを感光性基板上に露光することができる。この結果、感光性基板上における解像力やコントラスト等の低下を防止することができ、極めて微細な回路パターンを有するマイクロデバイスの製造を高精度に行うことができる。これにより良好なマイクロデバイスを得ることができる。
【発明の効果】
【００１３】
本発明の照明光学系によれば、照明光学系の瞳位置またはその近傍における光強度分布を適切に補正することができるため、照明領域全体にわたる照明条件（各照明ポイントでの角度特性や偏光特性、角度による光強度分布特性等）が適切に設定されるため、良好なる照明が達成できる。
【００１４】
また、照明光学系の瞳位置またはその近傍における偏光による光強度分布の悪化を補正することができるため、照明領域全体にわたる照明条件（各照明ポイントでの角度特性・偏光角度特性、あるいは角度による光強度分布特性・角度による偏光光強度分布特性等）が適切に設定されるため、良好なる照明が達成できる。従って、この照明光学系を露光装置に用いた場合、照明光学系の瞳（瞳面）の位置またはその近傍の位置、換言すれば、マスクパターン像を感光性基板に形成する投影光学系の瞳（瞳面）と光学的に共役な位置またはその近傍の位置での光強度分布を所望の光強度分布に設定できるため、照明光によりマスク面上の照明領域（ひいては感光性基板面上の露光領域）を適切に照明することができる。この結果、感光性基板上における解像力、直交する２方向での解像力の差またはコントラスト等の低下を防止することができ、マスクに形成されたより一層微細なパターンを感光性基板上に良好に露光することができる。
【００１５】
また、本発明のマイクロデバイスの製造方法によれば、露光装置における照明光学系の瞳位置またはその近傍における光強度分布を補正して適切な光強度分布に設定した上でマスクのパターンを感光性基板上に露光することができる。この結果、感光性基板上における解像力やコントラスト等の低下を防止することができ、極めて微細な回路パターンを有するマイクロデバイスの製造を高精度に行うことができる。これにより良好なマイクロデバイスを得ることができる。
【発明を実施するための最良の形態】
【００１６】
以下、図面を参照して、この発明の第１の実施の形態にかかる投影露光装置について説明する。図１は、この第１の実施の形態にかかる投影露光装置の概略構成を示す図である。この投影露光装置は、露光光として約５〜４０ｎｍの波長のＥＵＶ（extreme ultra violet、極端紫外）光を用いて、投影光学系ＰＬに対してウエハＷを相対的に移動させつつマスクＭのパターンの像を感光性材料（レジスト）が塗布された感光性基板としてのウエハＷ上に転写するステップ・アンド・スキャン方式の露光装置である。また、以下の説明においては、図１中に示したＸＹＺ直交座標系を設定し、このＸＹＺ直交座標系を参照しつつ各部材の位置関係について説明する。ＸＹＺ直交座標系は、Ｘ軸が図１の紙面の左右方向、Ｙ軸が図１の紙面に垂直な方向、Ｚ軸が図１の紙面の鉛直方向となるように設定されている。
【００１７】
この投影露光装置は、図１に示すように、約５〜４０ｎｍの波長のＥＵＶ光を射出するレーザプラズマ光源２、及びコリメータミラー１２、反射型フライアイ光学系１４，１６、コンデンサミラー１８により構成される照明光学系を備えている。この照明光学系により反射型マスクＭ上には円弧状の照明領域が形成され、この円弧状に照明された反射マスクＭのパターン像が反射型の投影光学系ＰＬにより所定の縮小倍率のもとで感光性基板としてのウエハＷ上に形成される。この投影光学系ＰＬは複数枚のミラー（４枚、６枚又は８枚等）で構成されたウエハＷ側がテレセントリックな反射光学系である。ここで、反射型マスクＭはマスクステージＭＳに保持され、ウエハＷはウエハステージＷＳに保持されている。マスクステージＭＳ及びウエハステージＷＳをＺ方向へ互いに反対方向へ移動させることにより、反射型マスクＭの全面のパターンがウエハＷ上の所定のショット領域に形成される。この露光を行うスキャン動作と別のショット領域に露光を行うステップ動作を繰り返すことにより、ウエハＷ上には多数の露光領域が形成される。
【００１８】
なお、照明光学系を構成するコリメータミラー１２、反射型フライアイ光学系（１４、１６）を構成する各単位ミラー、およびコンデンサーミラー１８は、ＥＵＶ光の反射率を向上させるために、ガラス、セラミックス、金属などからなる基板、およびその基板上に形成されるモリブデン（Ｍｏ）及びシリコン（Ｓｉ）からなる多層膜により構成されている。
【００１９】
レーザプラズマ光源２は、半導体レーザ励起によるＹＡＧレーザ光源またはエキシマレーザ光源等の高出力レーザ光源４、高出力レーザ光源４から射出されるレーザ光を集光する集光レンズ６、レーザプラスマ光源のターゲットとしてのキセノンガス（Ｘｅ）やクリプトンガス（Ｋｒ）等を噴出するノズル８、発生したＥＵＶ光等を集光する集光ミラー１０を備えている。
【００２０】
高出力レーザ光源４から射出されたレーザ光は、集光レンズ６により一点に集光され、その集光点にはレーザプラズマ光源のターゲットとしてのキセノンガスやクリプトンガス等がノズル８から噴出されており、そのターゲットが高出力レーザ光源４から射出されるレーザ光のエネルギでプラズマ状態に励起される。そして、これが低ポテンシャル状態に遷移する際にＥＵＶ光、波長１００ｎｍ以上の紫外光、可視光及び他の波長の光を放出する。
【００２１】
放出されたＥＵＶ光等は、高出力レーザ光源４から射出されたレーザ光が集光レンズ６により集光される集光点がその第１焦点位置またはその近傍と一致するように配置されている集光ミラー１０に入射する。集光ミラー１０の内面にはＥＵＶ光反射膜、例えばモリブデン（Ｍｏ）とケイ素（Ｓｉ）とが繰返し積層されている多層膜が形成されている。従って、集光ミラー１０に入射したＥＵＶ光等のうち波長約１３ｎｍのＥＵＶ光のみが集光ミラー１０により反射されて、集光ミラー１０の第２焦点位置に集光する。なお、波長約１１ｎｍのＥＵＶ光により露光を行う場合には、波長約１１ｎｍのＥＵＶ光のみを反射するＥＵＶ光反射膜、例えばモリブデン（Ｍｏ）及びベリリウム（Ｂｅ）からなる多層膜を用いるとよい。
【００２２】
レーザプラズマ光源２からＺ方向に射出されたＥＵＶ光は、露光光（照明光）として集光ミラー１０の第２焦点位置またはその近傍に集光され、その後コリメータミラー１２により反射される。
【００２３】
コリメータミラー１２により反射されたＥＵＶ光は、オプティカルインテグレータとしてのフライアイミラー光学系１４，１６へ導かれ、フライアイミラー光学系１４，１６を構成する一方の入射側フライアイミラー１４に入射する。入射側フライアイミラー１４は、並列に配列された照野と実質的に相似な円弧状の反射面を有する複数の単位ミラーにより構成され、マスクＭ面及びウエハＷ面と光学的に共役な位置またはその近傍に配置されている。
【００２４】
入射側フライアイミラー１４に入射したＥＵＶ光は、入射側フライアイミラー１４により反射され、フライアイミラー光学系１４，１６を構成する他方の射出側フライアイミラー１６に入射する。図２は、射出側フライアイミラー１６の構成を示す図である。図２に示すように、射出側フライアイミラー１６は、並列に配列され矩形（長方形）の形状を有する多数の単位ミラー１６ａにより構成され、後述する投影光学系ＰＬの瞳位置と光学的に共役な位置またはその近傍の位置に配置されている。従って、反射型フライアイミラー１６の射出側またはその近傍（照明光学系の瞳位置、照明光学系の瞳位置の近傍、投影光学系ＰＬの瞳位置と光学的に共役な位置、あるいは投影光学系ＰＬの瞳位置と光学的に共役な位置の近傍の位置）には、反射型フライアイミラーを構成する単位ミラーの数に応じた多数の集光点が形成され、ここには二次光源が形成される。
【００２５】
なお、照明光学系の瞳位置とは、投影光学系ＰＬの瞳位置と光学的に共役な位置の事を意味し、例えば、主光線が照明光学系の光軸と交差する位置、主光線が照明光学系内の光束の中心を通る基準軸と交差する位置を意味する。
【００２６】
また、射出側フライアイミラー１６を構成する各単位ミラー１６ａの反射面に設けられている多層膜の層数は局所的に異なっており、これらの多層膜の層数は露光装置の光学系を構成する各光学部品の製造誤差や露光装置内の光学系を組み上げる組み立て誤差等により、照明光学系の瞳（瞳面）またはその近傍の位置（換言すれば、投影光学系ＰＬの瞳（瞳面）と光学的に共役な位置またはその近傍の位置）にて悪化する光強度分布を打ち消すような反射率分布を有するように構成されている。従って、射出側フライアイミラー１６を構成する各単位ミラー１６ａの反射面に設けられている多層膜が光強度補正手段として機能し、多層膜の層数に基づく各単位ミラー１６ａの反射率分布の制御により、各単位ミラー１６ａの反射面により反射されるＥＵＶ光の光強度分布が所望の適切な光強度分布に補正される。
【００２７】
例えば、投影光学系ＰＬの瞳位置または瞳面における光強度分布が図３に示すような光強度分布であった場合において、射出側フライアイミラー１６上に設けられる多層膜の構成について説明する。ここで、図３に示す領域Ｅ，Ｅｄ，Ｅｅ，Ｅｆの光強度の強さは、光強度が強い方から順に領域Ｅｄ，Ｅ，Ｅｅ，Ｅｆ（Ｅｄ＞Ｅ＞Ｅｅ＞Ｅｆ）とする。
【００２８】
図３に示す投影光学系ＰＬの瞳位置における光強度分布の不均一性を補正するためには、領域Ｅｄの光強度の強さを領域Ｅの光強度の強さと同一にするために領域Ｅｄの光強度を弱くする必要がある。具体的には、図４（ａ）に示すように、領域Ｅｄに対応する射出側フライアイミラー１６上の領域Ｆｄの多層膜の層数を、図４（ｂ）に示すように、領域Ｅに対応する基準領域Ｆに対して減少させることによりＥＵＶ光の反射率を相対的に下げる。また、領域Ｅｅ，Ｅｆの光強度の強さを領域Ｅの光強度の強さと同一にするために反射率を大きくする必要がある。具体的には、図４（ａ）に示すように、領域Ｅｅ，Ｅｆに対応する射出側フライアイミラー１６上の領域Ｆｅ，Ｆｆの多層膜の層数を、図４（ｂ）に示すように、領域Ｅに対応する基準領域Ｆに対して増大させることによりＥＵＶ光の反射率を相対的に上げる。
【００２９】
図４（ｂ）に示すように、投影光学系ＰＬの瞳（瞳面）と光学的に共役な位置またはその近傍の位置（換言すれば、照明光学系の瞳（瞳面）またはその近傍の位置）に配置されている射出側フライアイミラー１６の各反射面に形成されるべき多層膜の層数に応じて反射率分布を変更する。
【００３０】
これにより、露光装置の光学系を構成する各光学部品の製造誤差や露光装置内の光学系を組み上げる組み立て誤差等により、二次光源が形成される照明光学系の瞳（瞳面）またはその近傍の位置での悪化する光強度分布を良好に補正でき、ひいては、二次光源像が形成される投影光学系ＰＬの瞳（瞳面）にて悪化する光強度分布を良好に補正できる。
【００３１】
以上においては、図３に示す如く投影光学系ＰＬの瞳面全体での不均一な分布を補正するために、図４に示す如き射出側フライアイミラー１６中の単位ミラーの反射率分布を補正した例を示したが、本発明はこれに限る事はない。ここで、射出側フライアイミラー１６の射出側面またはその近傍には、反射型フライアイミラー１６を構成する単位ミラーの数に応じた多数の集光点（二次光源）が形成される。このため、射出側フライアイミラー１６の単位ミラーに形成される補正用の反射膜（多層膜）は、反射型フライアイミラー１６により形成される二次光源を完全に均一にすることなく、反射型フライアイミラー１６により形成される多数の集光点（二次光源）のピーク強度を等しくするように構成されても良いことは言うまでもない。
【００３２】
このように、コリメータミラー１２により反射されてほぼ平行光に変換されたＥＵＶ光は、入射側フライアイミラー１４の反射作用により集光されて、以上にて説明した補正用の反射膜が形成された射出側フライアイミラー１６の射出側には、所望の光強度分布に補正された二次光源が形成される。射出側フライアイミラー１６により反射された二次光源からのＥＵＶ光は、コンデンサミラー１８に入射する。コンデンサミラー１８により反射されたＥＵＶ光は、所定の回路パターンが形成されている反射型マスクＭ上を重畳的に均一照明する。
【００３３】
反射型マスクＭにより反射されたＥＵＶ光は、図示しない複数の結像用反射部材を備える反射型投影光学系ＰＬの瞳において二次光源像を形成し、レジストが塗布された感光性基板としてのウエハＷ上にマスクＭに形成されたパターン像を投影露光する。なお、反射型投影光学系ＰＬの瞳位置またはその近傍には、反射型投影光学系ＰＬの開口数を規定する開口絞りＡＳが設けられている。
【００３４】
また、ウエハＷはウエハステージＷＳに載置されており、ウエハステージＷＳの一端には、投影光学系ＰＬの瞳における光強度分布を検出する光強度検出装置２０が設けられている。光強度検出装置２０は、不図示ではあるが、ウエハＷ面と同一高さに設定されたピンホール板、このピンホール板からのＥＵＶ光をほぼ平行光に変換するコリメート光学部材（ミラーやレンズ等）、およびコリメート光学部材からのほぼ平行なＥＵＶ光を光電検出する検出器とを備えている。そして、光強度検出装置２０内の検出器にてＥＵＶ光を光電検出することにより、この投影露光装置が組み立てられた後に生じた投影光学系ＰＬの瞳における光強度分布を検出する。図５は、この投影露光装置を組み立てたときに発生した投影光学系ＰＬの瞳と光学的に共役な位置またはその近傍の光強度分布を打ち消すための反射率分布を有する射出側フライアイミラー１６の反射面の多層膜が形成されるまでを説明するためのフローチャートである。
【００３５】
まず、装置組み立て完了後に、ウエハステージＷＳを２次元的に移動させながら光強度検出装置２０により露光領域の各点での投影光学系ＰＬの瞳における光強度分布をそれぞれ検出する（ステップＳ１０）。次に、ステップＳ１０において検出された装置組み立て時に発生した投影光学系ＰＬの瞳位置における光強度分布に基づいて、射出側フライアイミラー１６の適切な単位ミラー１６ａの反射面を選択し、選択された単位ミラー１６ａの反射面に形成されるべき反射率分布を決定する。即ち、投影光学系ＰＬの瞳と光学的に共役な位置またはその近傍位置にて全体的または局所的に発生している好ましくない光強度分布を打ち消す反射率分布となるように、射出側フライアイミラー１６の各単位ミラー１６ａの反射面上の多層膜の層数をそれぞれ算出する（ステップＳ１１）。
【００３６】
次に、ステップＳ１１において算出された射出側フライアイミラー１６の各単位ミラー１６ａの反射面の多層膜の層数に基づいて、射出側フライアイミラー１６の各単位ミラー１６ａの反射面に多層膜を形成し、各単位ミラー１６ａにより形成される射出側フライアイミラー１６の反射面に反射率分布を付与する（ステップＳ１２）。例えば、ステップ１２では、計測時に露光装置内にて設定された射出側フライアイミラー１６を露光装置から取り出し、その取り出された射出側フライアイミラー１６の各単位ミラー１６aの反射面に所望の反射率分布を持つ補正膜（反射膜）を形成する。その後、各単位ミラー１６aに補正膜が形成された射出側フライアイミラー１６を再び露光装置の照明光路に戻すことにより、ステップ１２の工程が完了する。
【００３７】
なお、以上においては射出側フライアイミラー１６の各単位ミラー１６ａの反射率分布を修正して射出側フライアイミラー１６の再利用をする例を示したが、計測時に設定された射出側フライアイミラー１６と同様なフライアイミラーを用意して、その用意されたフライアイミラーの各単位ミラーの反射率特性を修正しても良い。さらに、ステップ１１にて計測された結果に基づいて、各単位ミラーが所望の反射率分布となるようなフライアイミラーを新たに作成しても良い。
【００３８】
ステップ１２において、新たに修正された射出側フライアイミラー１６が照明光路内の所定位置に設定されることにより、射出側フライアイミラー１６の射出面（照明光学系の瞳位置）またはその近傍の位置にて形成される二次光源が所望の光強度分布に設定され、ひいてはこの二次光源位置と光学的に実質的に共役な位置にある投影光学系ＰＬの瞳位置に形成される光強度分布も所望の光強度分布に設定される。これにより、マスクＭ面やウエハＷ面全体にわたる照明条件（各照明ポイントでの角度特性、角度による光強度分布特性等）が適切に設定されるため、極めて良好なる露光を達成することができる。
【００３９】
この第１の実施の形態にかかる投影露光装置によれば、投影光学系の瞳位置と光学的に共役な位置またはその近傍に配置されている射出側フライアイミラーの反射面上の多層膜の層数に基づく反射率分布により、照明光学系の瞳位置またはその近傍あるいは投影光学系の瞳と光学的に共役な位置またはその近傍の光強度分布を適切に補正することができる。この結果、投影光学系の瞳位置（瞳面）における光強度分布を所望の適切な光強度分布に設定することができる。従って、照明光（露光光）であるＥＵＶ光によりマスク面の照明領域、ひいてはウエハ面の露光領域を適切に照明することができるため、ウエハ面上における解像力やコントラスト等の低下を防止することができ、マスクに形成されたより一層微細なパターンをウエハ面上に良好に露光することができる。
【００４０】
なお、この第１の実施の形態にかかる投影露光装置においては、装置を組み立てたときに生じる投影光学系の瞳位置または瞳面における光強度分布を適切に設定するために、各単位ミラーにより構成される射出側フライアイミラーの反射面に所望の反射率分布を付与した例を示したが、装置を使用している間に曇り等の要因により投影光学系の瞳位置（瞳面）での光強度分布が経時的の変化する場合にも、図５に示したステップＳ１０〜Ｓ１２を実行することが望ましい。この場合、ウエハステージＷＳの一端に設けられている光強度検出装置２０を用いて定期的に投影光学系ＰＬの瞳位置または瞳面での光強度分布を計測し、この計測された光強度分布の悪化が認められた場合、図５に示したステップＳ１０〜Ｓ１２を実行する。もし、上記の投影光学系ＰＬの瞳位置（瞳面）での光強度分布の経時的な変化を予測できる場合には、予測される光強度分布を設定することのできるフライアイミラーを予め用意して、投影光学系ＰＬの瞳位置（瞳面）での光強度分布の経時的な変化が生じた場合に、予め用意したフライアイミラーに交換すれば良い。
【００４１】
また、この第１の実施の形態にかかる投影露光装置においては、射出側フライアイミラーの各単位ミラーが１種類の多層膜により構成されているが、反射率が異なる２種類以上の多層膜により構成されるようにしてもよい。この場合には、２種類以上の多層膜の反射率に基づく単位ミラーの反射率分布により投影光学系の瞳位置と光学的に共役な位置またはその近傍の位置における光強度分布を良好に補正することができる。また、多層膜の層数及び２種類以上の多層膜の組み合わせに基づく単位ミラーの反射率分布により投影光学系の瞳位置と光学的に共役な位置またはその近傍の位置における光強度分布を補正することができる。なお、この第１の実施の形態では、照明光学系の瞳位置に位置するフライアイミラーにより形成される二次光源に関する光の強度の調整や補正について説明したが、偏光光の強度分布の調整や補正を行うようにしても良い。
【００４２】
次に、図面を参照して、この発明の第２の実施の形態にかかる投影露光装置について説明する。図６は、この第２の実施の形態にかかる投影露光装置の概略構成を示す図である。なお、この第２の実施の形態にかかる投影露光装置の構成は、図６に示すように、第１の実施の形態にかかる投影露光装置の射出側フライアイミラー１６の反射面上に形成されている多層膜に代えて、投影光学系ＰＬの瞳と光学的に共役な位置またはその近傍における光強度分布を補正する補正板（補正部材）２２を備えている。従って、第２の実施の形態の説明においては、第１の実施の形態にかかる投影露光装置の構成と同一の構成の詳細な説明は省略する。なお、この第２の実施の形態にかかる投影露光装置の説明においては、第１の実施の形態にかかる投影露光装置の構成と同一の構成には第１の実施の形態で用いたものと同一の符号を用いて説明を行う。
【００４３】
投影光学系ＰＬの瞳位置と光学的に共役な位置またはその近傍における好ましくない光強度分布を補正する補正板（第１補正部材）２２は、射出側フライアイミラー１６の近傍に配置されており、照明光路外に配置された図示しない他の補正板（第２補正部材）と交換可能に構成されている。また、補正板２２は、図７（ｂ）に示すように、ＥＵＶ光に対してある程度の透過率を有し、かつ局所的に厚さの異なる物質により形成されている。例えば、ＥＵＶ光に対してある程度の透過率を持つ物質としては次のような物質がある。無機物として、アルミニウム、ホウ素、インジウム、パラジウム、ジルコニウム、有機物として炭素、ポリカーボネイト等である。またこれらの物質を適切に組み合わせたアルミニウム／炭素、アルミニウム／チタニウム等でも良い。従って、補正板２２によって射出側フライアイミラー１６に入射する光または射出側フライアイミラー１６により反射される光の光強度分布を適切に補正することができ、射出側フライアイミラー１６の射出面またはその近傍に形成される二次光源の光強度分布は所望の光強度分布に設定される。即ち、補正板２２は、投影光学系ＰＬの瞳位置と光学的に共役な位置またはその近傍における光強度分布を補正する適切な透過率分布を有しており、照明光学系の瞳面（二次光源）の光強度分布、さらには投影光学系ＰＬの瞳面における光強度分布を適切に設定することができる。
【００４４】
即ち、例えば投影光学系ＰＬの瞳位置または瞳面における光強度分布が図３に示すような光強度分布（領域Ｅｄ＞Ｅ＞Ｅｅ＞Ｅｆ）であった場合において、投影光学系ＰＬの瞳位置または瞳面における光強度分布を均一にするためには、領域Ｅｄの光強度の強さを領域Ｅの光強度の強さと同一にするために領域Ｅｄの光強度を弱くする必要がある。具体的には、図７（ａ）に示すように、領域Ｅｄに対応する補正板２２上の領域Ｇｄの厚さを、図７（ｂ）に示すように、領域Ｅに対応する基準領域Ｇに対して厚くすることによりＥＵＶ光の透過率を相対的に下げる。また、領域Ｅｅ，Ｅｆの光強度を領域Ｅの光強度と同一にするために、これらの領域Ｅｅ，Ｅｆの光強度を強くする必要がある。具体的には、図７（ａ）に示すように、領域Ｅｅ，Ｅｆに対応する補正板２２上の領域Ｇｅ，Ｇｆの厚さを、図７（ｂ）に示すように、領域Ｅに対応する基準領域Ｇに対して薄くすることによりＥＵＶ光の透過率を相対的に上げる。
【００４５】
図７（ｂ）に示すように、投影光学系ＰＬの瞳（瞳面）と光学的に共役な位置またはその近傍の位置（換言すれば、照明光学系の瞳（瞳面）またはその近傍の位置）に配置されている補正板２２の厚さに応じて透過率分布を変更する。これにより、露光装置の光学系を構成する各光学部品の製造誤差や露光装置内の光学系を組み上げる組み立て誤差等により、二次光源が形成される照明光学系の瞳（瞳面）またはその近傍の位置での悪化する光強度分布を良好に補正でき、ひいては、二次光源像が形成される投影光学系ＰＬの瞳（瞳面）にて悪化する光強度分布を良好に補正できる。
【００４６】
以上においては、図３に示す如く投影光学系ＰＬの瞳面全体での不均一な分布を補正するために、図７に示す如き射出側フライアイミラー１６の近傍の位置に補正板２２を配置した例を示したが、本発明はこれに限る事はない。ここで、射出側フライアイミラー１６の射出側面またはその近傍には、反射型フライアイミラー１６を構成する単位ミラーの数に応じた多数の集光点（二次光源）が形成される。このため、補正板２２は、反射型フライアイミラー１６により形成される二次光源を完全に均一にすることなく、反射型フライアイミラー１６により形成される多数の集光点（二次光源）のピーク強度を等しくするように構成されても良いことは言うまでもない。
【００４７】
なお、補正板２２が二次光源よりもマスク側の光路に配置される場合には、二次光源の光強度分布は補正されないことになるが、二次光源像が形成される投影光学系ＰＬの瞳位置（瞳面）での光強度分布は、補正板２２の作用を十分得ているために、適切に補正される。本発明では、この場合においても、二次光源が形成される位置（照明光学系の瞳位置または投影光学系の瞳位置と光学的に共役な位置）での光強度分布を補正すると考えるものとする。
【００４８】
以上の補正板の製造方法に関しては、図５に示したステップＳ１１、Ｓ１２を以下のステップに置き換えることで達成できる。
【００４９】
まず、ステップＳ１０にて検出された検出結果に基づき、投影光学系ＰＬの瞳位置（瞳面）での光強度分布が適正な分布に補正できる補正板の適切な透過率分布を求め、その適切な透過率分布となるように補正板の２次元的な厚さの分布を求め、補正板を製造する。補正板の製造のおいては、計測に用いた補正板２２を利用できる場合には、露光装置から補正板２２を取り出し、所望の厚みの分布を持つように加工が施された補正板２２を露光装置の照明光路の所定位置に設定すれば良い。また、新たな補正板を用意して、算出された補正板の透過率分布に基づいて、この用意した補正板を加工し、この加工された補正板を露光装置の照明光路の所定位置に設定しても良い。
【００５０】
また、露光装置を使用するに従い投影光学系ＰＬの瞳位置（瞳面）での光強度分布が光学部材の曇り等の要因により経時的に変化し、この経時的な光強度分布の変化が予測できる場合には、予測される光強度分布の悪化を補正できるような新たな他の補正板（第２補正部材）を予め用意しても良い。そして、投影光学系の瞳位置（瞳面）での光強度分布の経時的の変化が生じた場合に、既に設定されている補正板２２の代わりに、予め用意した補正板に交換すれば良い。
【００５１】
この第２の実施の形態にかかる投影露光装置によれば、投影光学系の瞳位置（瞳面）と光学的に共役な位置またはその近傍に配置されている補正板の厚さに基づく透過率分布により、投影光学系の瞳位置と光学的に共役な位置またはその近傍位置の光強度分布を的確に良好に補正することができ、投影光学系の瞳位置（瞳面）における光強度分布を適切に設定することができる。従って、適切な透過率分布を有する補正板２２の設定により、射出側フライアイミラー１６の射出面（照明光学系の瞳位置）またはその近傍の位置にて形成される二次光源が所望の光強度分布に設定され、ひいてはこの二次光源位置と光学的に実質的に共役な位置にある投影光学系の瞳位置に形成される光強度分布も所望の光強度分布に設定される。これにより、マスク面やウエハ面全体にわたる照明条件（各照明ポイントでの角度特性、角度による光強度分布特性等）が適切に設定される。このため、マスクに形成された極めて微細なパターンをウエハ面上に忠実に転写でき、極めて良好なる露光を達成することができる。
【００５２】
なお、この第２の実施の形態では、照明光学系の瞳位置にフライアイミラー光学系により形成される二次光源に関する光の強度の調整や補正について説明したが、偏光光の強度分布の調整や補正を行うようにしても良い。
【００５３】
また、この第２の実施の形態にかかる投影露光装置においては、補正板２２を射出側フライアイミラー１６の近傍に配置しているが、補正板２２と同様の構成を有する補正部材を射出側フライアイミラー１６の表面に付着するようにしてもよい。
【００５４】
また、この第２の実施の形態にかかる投影露光装置においては、補正板の厚さに基づく補正板の透過率分布により投影光学系の瞳と光学的に共役な位置またはその近傍における光強度分布を補正しているが、補正板の所定箇所に所定形状の開口を設け、補正板に所定の透過率分布を形成することにより投影光学系の瞳と光学的に共役な位置またはその近傍における光強度分布を補正することもできる。また、補正板の厚さ及び所定形状の開口の組み合わせに基づき補正板に所定の透過率分布を付与し、投影光学系の瞳と光学的に共役な位置またはその近傍における光強度分布を補正することもできる。
【００５５】
また、この第２の実施の形態にかかる投影露光装置においては、１種類の物質により構成される補正板を用いているが、透過率が異なる２種類以上の物質により構成される補正板を用いてもよい。この場合には、補正板を構成する透過率が異なる２種類以上の物質に基づく透過率分布により投影光学系の瞳と光学的に共役な位置またはその近傍における光強度分布を補正することができる。また、補正板の厚さに基づく透過率分布及び透過率が異なる２種類以上の物質に基づく透過率分布を組み合わせることにより、投影光学系の瞳と光学的に共役な位置またはその近傍における光強度分布を補正してもよい。
【００５６】
また、この第２の実施の形態にかかる投影露光装置においては、射出側フライアイミラー１６に入射するＥＵＶ光と射出側フライアイミラー１６により反射されるＥＵＶ光の双方が通過する位置に補正板２２を配置しているが、図８の実線に示すように、射出側フライアイミラー１６に入射するＥＵＶ光の光路中であって、射出側フライアイミラー１６により反射されたＥＵＶ光の光路外に配置してもよい。また、図８の点線に示すように、射出側フライアイミラー１６により反射されるＥＵＶ光の光路中であって、射出側フライアイミラー１６に入射するＥＵＶ光の光路外に配置してもよい。この場合には、射出側フライアイミラー１６に入射するＥＵＶ光または射出側フライアイミラー１６により反射されるＥＵＶ光のみに補正板２２の透過率分布を作用させることができるため、補正板２２に付与する透過率分布を簡便かつ確実に算出することができ、より高精度に投影光学系ＰＬの瞳と光学的に共役な位置またはその近傍における光強度分布を補正することができる。
【００５７】
また、この第２の実施の形態にかかる投影露光装置においては、１つの補正板を備えているが、投影光学系ＰＬの瞳と光学的に共役な位置またはその近傍における光強度分布を補正するための２つ以上の補正板を備えるようにしてもよい。即ち、２つ以上の補正板の透過率分布を組み合わせることにより、投影光学系ＰＬの瞳と光学的に共役な位置またはその近傍における光強度分布を打ち消すための透過率分布を形成するようにしてもよい。この場合には、１つの補正板による透過率分布の形成より精密な透過率分布を形成することができ、より高精度に投影光学系ＰＬの瞳と光学的に共役な位置またはその近傍における光強度分布を補正することができる。以上においては、図８のように、フライアイミラー１６の入射側光路と射出側光路とが重複しない分離されたフライアイミラー１６の入射側光路とフライアイミラー１６の射出側光路との何れか一方に補正板を配置した例を示したが、双方の光路に補正板を配置して補正量を分担するような構成としても良いことは言うまでもない。
【００５８】
更に、上述の第１の実施の形態にかかる光強度分布補正手段としての射出側フライアイミラーの反射面上に形成されている多層膜、及び第２の実施の形態にかかる光強度分布補正手段としての補正板を組み合わせて用いてもよい。例えば、図９に示すように、射出側フライアイミラー１６の反射面上に多層膜を形成し、かつ２つの補正板２２ａ，２２ｂを備えるようにして、補正量を分担するように構成してもよい。即ち、射出側フライアイミラー１６の反射面上の多層膜の反射率分布及び補正板２２ａ，２２ｂの透過率分布を組み合わせることにより、投影光学系ＰＬの瞳位置と光学的に共役な位置またはその近傍位置における光強度分布を補正する。この場合においても、投影光学系の瞳位置と光学的に共役な位置またはその近傍における光強度分布をより高精度に補正することができ、投影光学系の瞳位置における光強度分布を適切なる調整をより高精度に行うことができる。
【００５９】
以上においては、多層膜が各単位ミラー（ミラー要素）に形成されたフライアイミラーと補正板との組み合わせ及び複数の補正板等の複数の補正部材にて補正量を分担することを述べたが、粗調用の補正部材と微調用の補正部材とを組み合わせて補正量を分担するように構成することも可能である。さらに、複数の補正部材の一方においてフライアイミラーの反射率ムラを補正し、他方の補正部材において偏光ムラを補正できるように構成しても良い。
【００６０】
次に、図面を参照して、この発明の第３の実施の形態にかかる投影露光装置について説明する。図１０は、この第３の実施の形態にかかる投影露光装置の概略構成を示す図である。なお、この第３の実施の形態にかかる投影露光装置の構成は、図１０に示すように、第１の実施の形態にかかる投影露光装置の射出側フライアイミラー１６の反射面上の多層膜に代えて、互いに交差する二方向に偏光するＥＵＶ光の二つの偏光成分（投影光学系ＰＬの瞳に対するＳ偏光成分及びＰ偏光成分）の光強度分布を補正する二つの偏光補正素子（偏光強度分布補正手段）２４，２６を備えている。また、図１０に示すように、第１の実施の形態にかかる投影露光装置の光強度検出装置２０に代えて、投影光学系ＰＬの瞳におけるＳ偏光成分による光強度分布を検出するＳ偏光強度検出装置３０、投影光学系ＰＬの瞳におけるＰ偏光成分による光強度分布を検出するＰ偏光強度検出装置３２がウエハステージＷＳの一端に設けられている。従って、第３の実施の形態の説明においては、第１の実施の形態にかかる投影露光装置の構成と同一の構成の詳細な説明は省略する。なお、この第３の実施の形態にかかる投影露光装置の説明においては、第１の実施の形態にかかる投影露光装置の構成と同一の構成には第１の実施の形態で用いたものと同一の符号を用いて説明を行う。
【００６１】
偏光補正素子２４，２６は、射出側フライアイミラー１６の近傍の位置（照明光学系の瞳面近傍の位置）に配置されており、射出側フライアイミラー１６に入射した、または射出側フライアイミラー１６により反射された互いに交差する二方向に偏光するＥＵＶ光のＳ偏光成分（第１偏光成分）及びＰ偏光成分（第２偏光成分）の光強度分布を補正することができる。即ち、投影光学系ＰＬの瞳位置と光学的に共役な位置またはその近傍の位置におけるＳ偏光成分による光強度分布、及び投影光学系ＰＬの瞳位置と光学的に共役な位置またはその近傍の位置におけるＰ偏光成分による光強度分布を補正することができ、投影光学系ＰＬの瞳位置（瞳面）におけるＳ偏光成分及びＰ偏光成分による光強度分布を所望の光強度分布に設定することができる。
【００６２】
また、偏光補正素子２４，２６は、射出側フライアイミラー１６に入射した、または射出側フライアイミラー１６により反射されたＥＵＶ光のＳ偏光成分とＰ偏光成分との間の光強度差を補正することができる。即ち、投影光学系ＰＬの瞳と光学的に共役な位置またはその近傍におけるＳ偏光成分とＰ偏光成分との光強度差を補正することができ、投影光学系ＰＬの瞳におけるＳ偏光成分及びＰ偏光成分による光強度差を減少させることができる。
【００６３】
図１１（ａ）は偏光補正素子２４、図１１（ｂ）は偏光補正素子２６の構成を示す図である。図１１（ａ）に示すように、偏光補正素子２４は、基板２４ｂ上にエッチング、スパッタリング等により細線２４ａを形成した光学素子、または基板２４ｂ上にグリッド状に細線２４ａを刻んで形成した光学素子である。偏光補正素子２４は、ＥＵＶ光がＸ方向に進行する際に、Ｚ方向に偏光する偏光成分の光強度を維持したままＹ方向に偏光する偏光成分の光強度を低減する。Ｙ方向に偏光する偏光成分の光強度の低減の量は、細線２４ａの材質、線間隔、線の太さ及び密度等により調整する。
【００６４】
偏光補正素子２６は、図１１（ｂ）に示すように、基板２６ｂ上にエッチング、スパッタリング等により細線２６ａを形成した光学素子、または基板２６ｂ上にグリッド状に細線２６ａを刻んで形成した光学素子である。偏光補正素子２６は、ＥＵＶ光がＸ方向に進行する際に、Ｙ方向に偏光する偏光成分の光強度を維持したままＺ方向に偏光する偏光成分の光強度を低減する。Ｚ方向に偏光する偏光成分の光強度の低減の量は、細線２６ａの材質、線間隔、線の太さ及び密度等により調整する。
【００６５】
例えば、投影光学系ＰＬの瞳におけるＳ偏光成分の光強度分布、Ｐ偏光成分の光強度分布及びＳ偏光成分とＰ偏光成分との間の光強度差が図１２に示すような光強度分布及び光強度差であった場合について説明する。なお、図１２においては、横軸が投影光学系ＰＬの瞳の径方向、縦軸が投影光学系ＰＬの瞳における光強度、Ｉｓが投影光学系ＰＬの瞳におけるＳ偏光成分の光強度、Ｉｐが投影光学系ＰＬの瞳におけるＰ偏光成分の光強度、Ｉが投影光学系ＰＬの瞳における光強度（即ち、Ｉｓ及びＩｐの平均光強度）を示している。
【００６６】
図１２に示すように、投影光学系ＰＬの瞳面におけるＳ偏光成分の光強度Ｉｓは投影光学系ＰＬの瞳面において同一でないため、そのＳ偏光成分の光強度Ｉｓの光強度分布の不均一性を小さくする必要がある。同様に、投影光学系ＰＬの瞳面におけるＰ偏光成分の光強度Ｉｐは投影光学系ＰＬの瞳面において同一でないため、そのＰ偏光成分の光強度Ｉｐの光強度分布の不均一性を小さくする必要がある。また、Ｓ偏光成分の光強度ＩｓとＰ偏光成分の光強度Ｉｐとは光強度差が生じているため、Ｓ偏光成分の光強度Ｉｓを落とすことによりＳ偏光成分の光強度ＩｓとＰ偏光成分の光強度Ｉｐとの光強度差を減少させる必要がある。
【００６７】
ここで、図１０に示すように紙面方向を振動する直線偏光光をＳ偏光成分とし、図１０の紙面と直交する方向（Ｚ方向）を振動する直線偏光光をＰ偏光成分とするとき、Ｙ方向に偏光する偏光成分が投影光学系ＰＬの瞳に対するＳ偏光成分、Ｚ方向に偏光する偏光成分が投影光学系ＰＬの瞳に対するＰ偏光成分となる。この場合、偏光補正素子２４は、投影光学系ＰＬの瞳位置と光学的に共役な位置またはその近傍におけるＳ偏光成分の光強度分布を補正することができる（第１偏光強度分布補正手段）。即ち、偏光補正素子２４の細線２４ａの材質、線間隔、線の太さ及び密度等を局所的に調整することにより、Ｓ偏光成分の光強度分布及び光強度を調整することができる。従って、投影光学系ＰＬの瞳におけるＳ偏光成分による光強度分布が図１２に示すような光強度分布Ｉｓであった場合、偏光補正素子２４は、図１３に示すように、Ｓ偏光成分の光強度分布Ｉｓを打ち消す透過率分布Ｔｓを有するように構成される。また、Ｓ偏光成分の光強度Ｉｓが図１２に示すようにＰ偏光成分の光強度Ｉｐよりも大きいため、偏光補正素子２４は、図１３に示すように、Ｓ偏光成分の透過率ＴｓがＰ偏光成分の透過率Ｔｐよりも小さくなるように構成される。
【００６８】
また、偏光補正素子２６は、投影光学系ＰＬの瞳と光学的に共役な位置またはその近傍におけるＰ偏光成分の光強度分布を補正することができる（第２偏光強度分布補正手段）。即ち、偏光補正素子２６の細線２６ａの材質、線間隔、線の太さ及び密度等を局所的に調整することにより、Ｐ偏光成分の光強度分布及び光強度を調整することができる。従って、投影光学系ＰＬの瞳におけるＰ偏光成分による光強度分布が図１２に示すような光強度分布Ｉｐであった場合、偏光補正素子２６は、図１３に示すように、Ｐ偏光成分の光強度分布Ｉｐを打ち消す透過率分布Ｔｐを有するように構成される。また、Ｐ偏光成分の光強度Ｉｐが図１２に示すようにＳ偏光成分の光強度Ｉｓよりも小さいため、偏光補正素子２６は、図１３に示すように、Ｐ偏光成分の透過率Ｔｐが小さくならないように、即ちＰ偏光成分の光強度Ｉｐを維持することができるように構成される。
【００６９】
従って、偏光補正素子２４，２６は、偏光補正素子２４，２６を通過するＥＵＶ光のＳ偏光成分とＰ偏光成分の光強度分布及び光強度差を同時に補正することができる。即ち、投影光学系ＰＬと光学的に共役な位置またはその近傍におけるＳ偏光成分とＰ偏光成分の光強度分布及び光強度差を補正することができ、投影光学系ＰＬの瞳位置におけるＳ偏光成分の光強度分布及びＰ偏光成分の光強度分布の不均一性及び光強度差を小さくすることができる。
【００７０】
また、偏光補正素子２４，２６は交換可能に構成されており、この投影露光装置を使用している間に投影光学系ＰＬの瞳における偏光成分による光強度分布の変化が生じた場合、その経時的な投影光学系ＰＬの瞳位置と光学的に共役な位置またはその近傍における偏光成分による光強度分布の変化を打ち消す透過率分布を有する他の偏光補正素子に交換することができる。この場合には、Ｓ偏光強度検出装置３０により検出される投影光学系ＰＬの瞳におけるＳ偏光成分の光強度分布、及びＰ偏光強度検出装置３２により検出されるＰ偏光成分の光強度分布の大きさの少なくとも一方が好ましくない光強度分布の時には、検出結果に基づいて投影光学系ＰＬの瞳と光学的に共役な位置またはその近傍におけるＳ偏光成分の光強度分布及びＰ偏光成分の光強度分布の少なくとも一方を補正するための透過率分布を有する少なくとも１つの偏光補正素子を作成し、偏光補正素子２４及び偏光補正素子２６の少なくとも一方を作成した新たな偏光補正素子に交換する。
【００７１】
なお、露光装置を使用するに従い投影光学系ＰＬの瞳位置（瞳面）での偏光による光強度分布が光学部材の曇り等の要因により経時的に変化し、この経時的な光強度分布の変化が予測できる場合には、予測される偏光による光強度分布の悪化を補正できるような新たな他の偏光補正素子（２４、２６）を予め用意しても良い。
【００７２】
この第３の実施の形態にかかる投影露光装置によれば、投影光学系の瞳位置と光学的に共役な位置またはその近傍における偏光による光強度分布の悪化を適切に補正することができるため、投影光学系の瞳における偏光による光強度分布の大きさを小さくすることができる。従って、照明光（露光光）により照明領域であるマスク面、ひいては露光領域であるウエハ面を適切に照明することができるため、ウエハ面上における互いに直交した二方向での解像力の差やコントラスト等の低下を防止することができ、マスクに形成された微細なパターンをウエハ面上に良好に露光することができる。
【００７３】
なお、この第３の実施の形態にかかる投影露光装置においては、２つの偏光補正素子２４，２６により投影光学系の瞳と光学的に共役な位置またはその近傍におけるＳ偏光成分及びＰ偏光成分による全体的な光強度分布の悪化を補正しているが、１つ以上の偏光補正素子により投影光学系の瞳と光学的に共役な位置またはその近傍におけるＳ偏光成分及びＰ偏光成分による局所的な光強度分布の悪化を補正することができる。即ち、基板上に局所的に線方向、線の材質、線の間隔、線の太さ及び密度等が異なる様々な細線が形成された偏光補正素子を用いることにより、投影光学系の瞳と光学的に共役な位置またはその近傍におけるＳ偏光成分及びＰ偏光成分による局所的な光強度分布の悪化を補正することができる。
【００７４】
また、この第３の実施の形態にかかる投影露光装置においては、射出側フライアイミラー１６に入射するＥＵＶ光と射出側フライアイミラー１６により反射されるＥＵＶ光の双方が通過する位置に偏光補正素子２４，２６を配置しているが、図１４の実線に示すように、射出側フライアイミラー１６に入射するＥＵＶ光の光路中であって、射出側フライアイミラー１６により反射されたＥＵＶ光の光路外に配置してもよい。また、図１４の点線に示すように、射出側フライアイミラー１６により反射されたＥＵＶ光の光路中であって、射出側フライアイミラー１６に入射するＥＵＶ光の光路外に配置してもよい。この場合には、射出側フライアイミラー１６に入射するＥＵＶ光または射出側フライアイミラー１６により反射されたＥＵＶ光のみに偏光補正素子２４，２６が有する各偏光成分の透過率分布を作用させることができるため、偏光補正素子２４，２６に付与される各偏光成分の透過率分布を簡便かつ的確に算出することができ、投影光学系の瞳と光学的に共役な位置またはその近傍における偏光成分による光強度分布を確実に補正することができる。さらには、射出側フライアイミラー１６の入射側光路と射出側の光路とが重複しない双方の光路において、２つの偏光補正素子（２４、２６）を振り分けて配置しても良い。
【００７５】
また、この第３の実施の形態にかかる投影露光装置においては、２つの偏光補正素子により投影光学系の瞳と光学的に共役な位置またはその近傍における偏光成分による光強度分布を補正すると共に、互いに交差する二つの偏光成分（Ｓ偏光成分及びＰ偏光成分）の光強度差を補正しているが、３つの偏光補正素子により投影光学系の瞳と光学的に共役な位置またはその近傍における偏光成分による光強度分布を補正し、Ｓ偏光成分とＰ偏光成分との間の光強度差を補正してもよい。
【００７６】
即ち、図１５の実線に示すように、Ｓ偏光成分とＰ偏光成分による光強度分布を補正する偏光補正素子２４，２６及びＳ偏光成分とＰ偏光成分との間の光強度差を補正する光強度差補正素子（光強度差補正手段）２８を、射出側フライアイミラー１６に入射するＥＵＶ光の光路中であって、射出側フライアイミラー１６により反射されたＥＵＶ光の光路外に備えるようにしてもよい。また、図１５の点線に示すように、偏光補正素子２４，２６及び光強度差補正素子２８を、射出側フライアイミラー１６により反射されたＥＵＶ光の光路中であって、射出側フライアイミラー１６に入射するＥＵＶ光の光路外に備えるようにしてもよい。
【００７７】
この場合には、光強度差補正素子２８は、光強度差補正素子２８を通過するＥＵＶ光のＳ偏光成分とＰ偏光成分との間の光強度差を補正する。即ち、投影光学系ＰＬの瞳と光学的に共役な位置またはその近傍におけるＳ偏光成分とＰ偏光成分との間の光強度差を補正することができ、投影光学系ＰＬの瞳におけるＳ偏光成分とＰ偏光成分との間の光強度差を減少させることができる。この場合には、偏光補正素子２４，２６は、偏光補正素子２４，２６を通過するＥＵＶ光のＳ偏光成分及びＰ偏光成分の光強度分布のみを補正する。即ち、投影光学系ＰＬの瞳と光学的に共役な位置またはその近傍におけるＳ偏光成分及びＰ偏光成分の光強度分布を補正することができ、投影光学系ＰＬの瞳におけるＳ偏光成分及びＰ偏光成分の光強度分布を適切に設定することができる。なお、偏光補正素子２４，２６及び光強度差補正素子２８は、射出側フライアイミラー１６の近傍であって、射出側フライアイミラー１６に入射するＥＵＶ光と射出側フライアイミラー１６により反射されるＥＵＶ光の双方が通過する位置に配置されるようにしてもよい。さらには、射出側フライアイミラー１６の入射側光路と射出側の光路とが重複しない双方の光路において、３つの補正素子（２４、２６、２８）を振り分けて配置しても良い。
【００７８】
また、以上の実施の形態では、グリッド偏光子（２４、２６）を瞳面に対して一様な方向に作用する２種類の偏光子を示したが、これを縮小したものを瞳面と共役な照明光学系の部位に複数配置することで、瞳面内の一部分に対してはＳ偏光に作用し、瞳面の一部分に対してはＰ偏光に作用するような形状にすることができ、加えて像高ごとに最適な作用が得られるように複数の偏光子を用いることもできる。さらに、複数のグリッド偏光子（２４、２６）を縮小したものを１枚の補正板に形成しても同様な効果を得ることができる。この場合、全体的な光量損失が多少あるものの、アライメントの点で前述の方法よりも有効である。
【００７９】
なお、上述の各実施の形態にかかる投影露光装置においては、複数の長方形状の単位ミラーにより構成される射出側フライアイミラーを備えているが、図１６に示すような複数の円形状の単位ミラーにより構成される射出側フライアイミラーを備えるようにしてもよい。
【００８０】
以上の実施の形態では、互いに直交する方向に偏光する２つの偏光光を代表して、Ｐ偏光とＳ偏光とについて説明したが、本発明はこれに限ることなく、例えば、右回りの円偏光光と左回りの円偏光光との組み合わせ、長径同士または短径同士が直交する楕円偏光光との組み合わせとすることも可能である。
【００８１】
また、以上の各実施の形態において、照明光学の瞳位置（瞳面）や投影光学系の瞳位置（瞳面）にて光強度分布や偏光による光強度分布に傾斜成分が発生している場合には、例えば、光透過率分布に傾斜成分を持つよに、光路を横切る方向にて厚さの変化のある楔状の光学部材を配置して、傾斜成分を補正することも可能である。さらには、照明光学の瞳位置（瞳面）や投影光学系の瞳位置（瞳面）にて発生する光強度分布や偏光による光強度分布の傾斜成分を補正するために、照明光学系を構成する光学部材を傾斜や光路を横切る方向に移動させて補正することも可能である。
【００８２】
また、照明光学の瞳位置（瞳面）や投影光学系の瞳位置（瞳面）にて光強度分布や偏光による光強度分布に凹凸成分（２次成分）が発生している場合には、この凹凸成分（２次成分）を補正し得る光学特性を具備する光学部材を配置しても良く、さらには、照明光学系を構成する光学部材を移動させて補正することも可能である。
【００８３】
また、上述の各実施の形態にかかる投影露光装置においては、ＥＵＶ光を露光光として用いているが、ＡｒＦエキシマレーザ光またはＦ２レーザ光を露光光とした装置にも適用できることは言うまでもない。
【００８４】
上述の各実施の形態にかかる露光装置では、照明光学系によってレチクル（マスク）を照明し、投影光学系を用いてマスクに形成された転写用のパターンを感光性基板（ウエハ）上に露光することにより、マイクロデバイス（半導体素子、撮像素子、液晶表示素子、薄膜磁気ヘッド等）を製造することができる。以下、上述の各実施の形態にかかる露光装置を用いて感光性基板としてウエハ等に所定の回路パターンを形成することによって、マイクロデバイスとしての半導体デバイスを得る際の手法の一例につき図１７のフローチャートを参照して説明する。
【００８５】
まず、図１７のステップＳ３０１において、１ロットのウエハ上に金属膜が蒸着される。次のステップＳ３０２において、その１ロットのウエハ上の金属膜上にフォトレジストが塗布される。その後、ステップＳ３０３において、上述の各実施の形態にかかる露光装置を用いて、マスク上のパターン像が投影光学系を介して、その１ロットのウエハ上の各ショット領域に順次露光転写される。その後、ステップＳ３０４において、その１ロットのウエハ上のフォトレジストの現像が行なわれた後、ステップＳ３０５において、その１ロットのウエハ上でレジストパターンをマスクとしてエッチングを行なうことによって、マスク上のパターンに対応する回路パターンが、各ウエハ上の各ショット領域に形成される。
【００８６】
その後、更に上のレイヤの回路パターンの形成等を行うことによって、半導体素子等のデバイスが製造される。上述のマイクロデバイス製造方法によれば、上述の各実施の形態にかかる露光装置を用いて露光を行うため、感光性基板上における解像力やコントラスト等の低下を防止することができ、極めて微細な回路パターンを有するマイクロデバイスを精度良く得ることができる。なお、ステップＳ３０１〜ステップＳ３０５では、ウエハ上に金属を蒸着し、その金属膜上にレジストを塗布、そして露光、現像、エッチングの各工程を行っているが、これらの工程に先立って、ウエハ上にシリコンの酸化膜を形成後、そのシリコンの酸化膜上にレジストを塗布、そして露光、現像、エッチング等の各工程を行っても良いことはいうまでもない。
【００８７】
また、上述の各実施の形態にかかる露光装置では、プレート（ガラス基板）上に所定のパターン（回路パターン、電極パターン等）を形成することによって、マイクロデバイスとしての液晶表示素子を得ることもできる。以下、図１８のフローチャートを参照して、このときの手法の一例につき説明する。図１８において、パターン形成工程Ｓ４０１では、上述の各実施の形態にかかる露光装置を用いてマスクのパターンを感光性基板（レジストが塗布されたガラス基板等）上に転写露光する、所謂光リソグラフィ工程が実行される。この光リソグラフィ工程によって、感光性基板上には多数の電極等を含む所定パターンが形成される。その後、露光された基板は、現像工程、エッチング工程、レジスト剥離工程等の各工程を経ることによって、基板上に所定のパターンが形成され、次のカラーフィルタ形成工程Ｓ４０２へ移行する。
【００８８】
次に、カラーフィルタ形成工程Ｓ４０２では、Ｒ（Red）、Ｇ（Green）、Ｂ（Blue）に対応した３つのドットの組がマトリックス状に多数配列されたり、またはＲ、Ｇ、Ｂの３本のストライプのフィルタの組を複数水平走査線方向に配列されたりしたカラーフィルタを形成する。そして、カラーフィルタ形成工程Ｓ４０２の後に、セル組み立て工程Ｓ４０３が実行される。セル組み立て工程Ｓ４０３では、パターン形成工程Ｓ４０１にて得られた所定パターンを有する基板、およびカラーフィルタ形成工程Ｓ４０２にて得られたカラーフィルタ等を用いて液晶パネル（液晶セル）を組み立てる。セル組み立て工程Ｓ４０３では、例えば、パターン形成工程Ｓ４０１にて得られた所定パターンを有する基板とカラーフィルタ形成工程Ｓ４０２にて得られたカラーフィルタとの間に液晶を注入して、液晶パネル（液晶セル）を製造する。
【００８９】
その後、モジュール組み立て工程Ｓ４０４にて、組み立てられた液晶パネル（液晶セル）の表示動作を行わせる電気回路、バックライト等の各部品を取り付けて液晶表示素子として完成させる。上述の液晶表示素子の製造方法によれば、上述の各実施の形態にかかる露光装置を用いて露光を行うため、感光性基板上における解像力やコントラスト等の低下を防止することができ、極めて微細な回路パターンを有する半導体デバイスを精度良く得ることができる。
【図面の簡単な説明】
【００９０】
【図１】第１の実施の形態にかかる投影露光装置の概略構成を示す図である。
【図２】第１の実施の形態にかかる射出側フライアイミラーの構成を示す図である。
【図３】第１の実施の形態にかかる投影光学系の瞳における光強度分布を示す図である。
【図４】第１の実施の形態にかかる射出側フライアイミラーの反射面上の反射率分布を説明するための図である。
【図５】第１の実施の形態にかかる投影露光装置を組み立てた後に生じる投影光学系の瞳と光学的に共役な位置またはその近傍における光強度分布を打ち消す反射率分布を有する射出側フライアイミラーの各単位ミラーの反射率分布の形成手順を説明するためのフローチャートである。
【図６】第２の実施の形態にかかる投影露光装置の概略構成を示す図である。
【図７】第２の実施の形態にかかる補正板の構成を説明するための図である。
【図８】第２の実施の形態にかかる補正板の別の配置を説明するための図である。
【図９】第１の実施の形態にかかる射出側フライアイミラーと第２の実施の形態にかかる補正板を組み合わせた構成を示す図である。
【図１０】第３の実施の形態にかかる投影露光装置の概略構成を示す図である。
【図１１】第３の実施の形態にかかる偏光補正素子の構成を示す図である。
【図１２】第３の実施の形態にかかる投影光学系の瞳におけるＳ偏光成分の光強度分布、Ｐ偏光成分の光強度分布及びＳ偏光成分の光強度分布とＰ偏光成分の光強度分布の平均光強度分布を示すグラフである。
【図１３】第３の実施の形態にかかる偏光補正素子のＳ偏光成分の透過率分布、Ｐ偏光成分の透過率分布及びＳ偏光成分の透過率分布とＰ偏光成分の透過率分布の平均透過率分布を示すグラフである。
【図１４】第３の実施の形態にかかる偏光補正素子の別の配置を説明するための図である。
【図１５】第３の実施の形態にかかる偏光補正素子と光強度補正素子の配置を説明するための図である。
【図１６】他の射出側フライアイミラーの構成を示す図である。
【図１７】この発明の実施の形態にかかるマイクロデバイスとしての半導体デバイスを製造する方法を示すフローチャートである。
【図１８】この発明の実施の形態にかかるマイクロデバイスとしての液晶表示素子を製造する方法を示すフローチャートである。
【符号の説明】
【００９１】
２…レーザ光源、４…高出力レーザ光源、６…集光レンズ、８…ノズル、１０…集光ミラー、１２…コリメータミラー、１４…入射側フライアイミラー、１６…射出側フライアイミラー、１８…コンデンサミラー、２０…光強度検出装置、２２…補正板、２４，２６…偏光補正素子、２８…光強度差補正素子、３０…Ｓ偏光強度検出装置、３２…Ｐ偏光強度検出装置、ＡＳ…開口絞り、Ｍ…マスク、ＰＬ…投影光学系、Ｗ…ウエハ。
【図１】
2006108224.tif 000003
【図２】
2006108224.tif 000004
【図３】
2006108224.tif 000005
【図４】
2006108224.tif 000006
【図５】
2006108224.tif 000007
【図６】
2006108224.tif 000008
【図７】
2006108224.tif 000009
【図８】
2006108224.tif 000010
【図９】
2006108224.tif 000011
【図１０】
2006108224.tif 000012
【図１１】
2006108224.tif 000013
【図１２】
2006108224.tif 000014
【図１３】
2006108224.tif 000015
【図１４】
2006108224.tif 000016
【図１５】
2006108224.tif 000017
【図１６】
2006108224.tif 000018
【図１７】
2006108224.tif 000019
【図１８】
2006108224.tif 000020